【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
対象からのイメージデータを集める相補型金属酸化物半導体（CMOS）ベースバーコード読み取り装置であって、該CMOSベースバーコード読み取り装置は、以下のものからなる：
少なくとも１つのCMOSベースのイメージセンサアレイを含む集積回路、該CMOSベースのイメージセンサアレイは、第１の複数の画素、および第２の複数の画素よりなり、該バーコード読み取り装置は、CMOSベースのイメージセンサアレイの第１の複数の画素を、CMOSベースのイメージセンサアレイの第２の複数の画素とは独立して、選択的にアドレスし、読み出すようにプログラム可能であり、前記CMOSベースイメージセンサアレイの各ピクセルは、光検出領域、増幅器、および不透明シールドされたデータ蓄積領域をもつ；
前記イメージセンサアレイを収容する携帯可能なハウジング；
グローバル電子シャッター制御回路網、該グローバル電子シャッター制御回路網は、該CMOSベースイメージセンサアレイの全体フレームの画素のすべて、またはほとんどすべての同時の露光の原因となることのできる露光制御タイミングパルスを生成するよう構成されており、
少なくとも１つの光源、であって、照射制御タイミングパルスに応答して対象を照射するよう構成され、該光源は、集積回路と電気的に通信しており、
ここで、少なくとも前記照射制御タイミングパルスの一部は、前記露光制御タイミングパルスのすくなくとも一部とオーバーラップし、かつ、
バーコード処理モジュール、であって、集められたイメージデータにおけるバーコードシンボルの表示を特定することができる。
【請求項２】
請求項１によるCMOSベースイメージリーダーであって、前記対象を照明することは、照明モジュール内における光源を、過度に駆動することよりなる。
【請求項３】
請求項２によるCMOSベースイメージリーダーであって、前記光源は、発光ダイオードよりなる。
【請求項４】
請求項１によるCMOSベースイメージリーダーであって、前記照明制御タイミングパルスは、露光制御タイミングパルスより短い持続時間を持つ。
【請求項５】
請求項１によるCMOSベースイメージリーダーであって、前記照明制御タイミングパルスは、露光制御タイミングパルスより短い持続時間を持つ。
【請求項６】
請求項１によるCMOSベースイメージリーダーであって、前記照明制御タイミングパルスは、前記露光制御タイミングパルスの開始の前に開始し、前記照明制御タイミングパルスが、前記露光制御タイミングパルスの終了の前に終了する。
【請求項７】
請求項１によるCMOSベースイメージリーダーであって、前記露光制御タイミングパルスは、3.7ミリ秒より小さい持続時間を持つ。
【請求項８】
請求項１によるCMOSベースイメージリーダーであって、前記目標は、シンボロジーを含む。
【請求項９】
請求項８によるCMOSベースイメージリーダーであって、前記シンボロジーは、１次元バーコードである。
【請求項１０】
請求項８によるCMOSベースイメージリーダーであって、前記シンボロジーは、２次元バーコードである。
【請求項１１】
請求項１０によるCMOSベースイメージリーダーであって、前記２次元のバーコードはPDF417バーコードである。
【請求項１２】
バーコードシンボルからイメージデータを集める携帯可能なバーコード読み取り装置であって、該バーコード読み取り装置は、以下のものからなる：
ハンドヘルドハウジング；
少なくとも１つの２次元イメージセンサアレイを含む集積回路であって、該２次元イメージセンサアレイは、複数の活性ピクセルを含み、かつ、上記ハンドヘルドハウジング内に配置され、各活性ピクセルは、少なくとも１つのシールドされたデータストア領域を含み、該２次元イメージセンサアレイは、入射光強度を出力電圧に変換する遷移関数を用いることができ、該遷移関数は、第１の傾斜をもつ第１の領域、および第２の傾斜をもつ第２の領域をもつものであり、該２次元イメージセンサアレイは、入射光強度が特定のレベル以上であるとき、前記遷移関数の第２の傾斜を用いることができ、該２次元イメージセンサアレイは、入射光強度が特定のレベル以下であるとき、前記遷移関数の第１の傾斜を用いることができる；
マニュアルトリガー、ここで、前記バーコード読み取り装置は、前記マニュアルトリガーを押すと、トリガー信号を発生し、前記バーコード読み取り装置を、アイドル状態から、活性読み出し状態に駆動するよう構成される；および、
露出タイミング制御回路網であって、該露出タイミング制御回路網は、イメージセンサアレイにおける、すべて、あるいはほとんどすべてのピクセルを、同時に露出させて入力放射を光変換させることのできる露出制御タイミングパルスを生成するよう構成され、ここで、前記携帯可能なバーコード読み取り装置は、前記マニュアルトリガーの押下に続いて、前記バーコード読み取り装置が、イメージデータを集め、かつ該イメージデータをバーコードデコードモジュールに転送するよう構成される。
【請求項１３】
請求項１２によるバーコードイメージリーダーであって、前記露光制御タイミングパルスは、3.7ミリ秒より小さい持続時間を持つ。
【請求項１４】
請求項１２によるバーコードイメージリーダーであって、前記２次元イメージアレイセンサのダイナミックレンジは、65デシベルより大きい。
【請求項１５】
請求項１２によるバーコードイメージリーダーであって、前記バーコードイメージリーダーは、２次元バーコードからイメージデータを集める。
【請求項１６】
請求項１５によるバーコードイメージリーダーであって、前記２次元バーコードは、PDF417バーコードである。
【請求項１７】
バーコードシンボルからバーコードデータを集め、処理するバーコード読み取り装置であって、該バーコード読み取り装置は、以下のものからなる：
バーコードシンボルから反射される光放射を受ける２次元ピクセルアレイ、該２次元ピクセルアレイは、第１の複数の画素、および第２の複数の画素よりなり、該バーコード読み取り装置は、該バーコード読み取り装置が、前記２次元アレイから、前記アレイの第２の複数のピクセルとは独立して該アレイの第１の複数のピクセルから、選択的にイメージデータをアドレスし、読み出すよう制御されることができ、該ピクセルの各々は、光感受領域、および不透明シールドされたデータ蓄積領域よりなる；
前記２次元ピクセルアレイを収容するハンドヘルドハウジング；
バーコードシンボルから反射された光放射を、２次元ピクセルアレイ上に向ける光学素子；
前記２次元ピクセルアレイと関連したグローバル電子シャッターであって、該グローバル電子シャッターは、該２次元ピクセルアレイにおける全体フレームの画素のすべて、またはほとんどすべてを、同時に露光させることができるものであり；および、
バーコード処理モジュール、該バーコード処理モジュールは、２次元ピクセルアレイと電気的に通信し、該バーコード処理モジュールは、集められたイメージデータにおけるバーコードシンボルの表示を識別することができる。
【請求項１８】
請求項１７によるバーコードイメージリーダーであって、２次元イメージセンサアレイは、相補型金属酸化物半導体（CMOS）イメージセンサである。
【請求項１９】
請求項１７によるバーコードイメージリーダーであって、イメージデータを出力データを生成するよう処理することは、複数のバーコードタイプの間を、区別することである。
【請求項２０】
対象からのイメージデータを集める相補型金属酸化物半導体（CMOS）ベースバーコード読み取り装置であって、該CMOSベースバーコード読み取り装置は、以下のものからなる：
CMOSベースイメージセンサアレイ、該CMOSベースイメージセンサアレイは、複数の行ピクセルよりなり、該CMOSベースイメージセンサアレイの各ピクセルは、ピクセルアンプ、光検出器領域、および不透明シールドされたデータ蓄積領域よりなる活性ピクセルであり；
前記イメージセンサアレイを収容するハンドヘルドハウジング；
前記CMOSベースイメージセンサアレイと電気的に通信するタイミングモジュール、該タイミングモジュールは、露出期間の間に、CMOSベースイメージセンサアレイのフルフレームのピクセルを同時に露出させるよう構成されている；
目標を照明期間の間に照明するよう構成されている照明モジュール、該照明モジュールは、タイミングモジュールと電気的に通信している；
タイミングモジュール、および照明モジュールと電気的に通信する制御モジュール、該制御モジュールは、露出期間の少なくとも一部が、照明期間の間に起こるようにするよう構成されている；および、
集められたイメージデータにおけるバーコードシンボルの表示を識別することのできるバーコード処理モジュール。